(57)【要約】      （修正有）【課題】携帯端末のキーによる文字入力を行うことなく、登録データに携帯端末の情報を追加し、登録データ固有のウェブアドレスを携帯端末に表示する。【解決手段】ユーザコンピュータは登録データをサーバに送信、サーバはユーザ携帯端末がアクセスする携帯ウェブアドレスと登録情報（登録データまたは登録データ識別情報）を記録した２次元バーコードを作成、ユーザコンピュータに送信。ユーザコンピュータに表示の２次元バーコードを撮影、携帯ウェブアドレスと登録情報を読出し、携帯ウェブアドレスへ送信、サーバはアクセスを検知、メール作成の為の情報と宛先アドレスを含む携帯ウェブページをユーザ携帯端末に送信。ユーザ携帯端末は登録情報と宛先アドレスからメールを送信、サーバはメールのヘッダー情報からユーザ携帯端末の特定情報（携帯メールアドレスまたは端末識別情報）を保存の登録データと比較、一致した登録データと特定情報の対を保存する。【選択図】図２
2009098702.tif 000002
【特許請求の範囲】
【請求項１】
ネットワークに接続されたユーザーコンピュータと、カメラを装備しコンピュータに表示されたウェブページを撮影できるユーザー携帯端末と、該ユーザーコンピュータおよび該ユーザー携帯端末にネットワークを介して接続されるサーバーコンピュータと、を備えた情報登録システムであって、
前記ユーザーコンピュータは、
前記サーバーコンピュータから送信されるウェブページを画面に表示し、ユーザーコンピュータの利用者がウェブページに設けられた入力欄に入力したデーターを、登録データーとしてサーバーコンピュータに送信するブラウザ手段と、
前記サーバーコンピュータから送信される２次元バーコードを表示する表示手段と、を備え、
前記ユーザー携帯端末は、
前記ユーザーコンピュータの画面に表示された２次元バーコードを撮影し、２次元バーコードに記録されている情報を読み出すバーコードリーダー機能と、
前記２次元バーコードに記録されている、携帯ウェブページアドレスと該ウェブページアドレス宛てに送信されるデーターを読み出し、該携帯ウェブページアドレス宛てに該データーを送信し、応答として受信した携帯ウェブページを画面に表示するブラウザ手段と、
前記携帯ウェブページに記述された、宛先メールアドレスとメールの文面を作るための情報に従ってメール作成し、該宛先メールアドレス宛てに送信するメール作成送信手段と、を備え、
前記サーバーコンピュータは、
前記ユーザーコンピュータにウェッブページを送信するウェッブサーバー手段と、
前記ユーザーコンピュータで前記ウェッブページに入力され送信された登録データーを受信し、該登録データーを特定する登録データー識別情報を作成し、該登録データーと該登録データー識別情報を対応付けて保存する登録データー保存手段と、
前記ユーザー携帯端末がアクセスする携帯ウェブページアドレスと、前記登録データーまたは登録データー識別情報とを合わせた情報を記録した２次元バーコードを作成し、該２次元バーコードを前記ユーザーコンピュータに送信する２次元バーコード送信手段と、
前記ユーザー携帯端末が、前記携帯ウェブページアドレスにアクセスした時点で、該携帯ウェブページアドレス宛てに送信された前記登録データーまたは登録データー識別情報を記載したメールを作成する為の情報と、該メールの送信先アドレスとを記述した、携帯ウェブページを前記ユーザー携帯端末に送信する携帯ウェッブサーバー手段と、
前記ユーザー携帯端末が送信したメールを受信し、該メールのヘッダー情報から前記ユーザー携帯端末を特定する携帯メールアドレスまたは端末識別情報を読み出す読出手段と、
前記メールに記述されている登録データーまたは登録データー識別情報を読み出し、該登録データーまたは登録データー識別情報を使って保存されている登録データーを特定し、特定された登録データーと、前記携帯メールアドレスまたは端末識別情報とを対をなす情報として保存する対情報保存手段と、を備える、
ことを特徴とする情報登録システム。
【請求項２】
前記サーバーコンピュータは、前記ユーザーコンピュータで入力された登録データーを保存するデーターベースと、該データーベースの更新手段を更に備えている、ことを特徴とする請求項１記載の情報登録システム。
【請求項３】
前記サーバーコンピュータは、前記ユーザーコンピュータに送信されるウェブページに、該ユーザーコンピュータの利用者の個人情報の入力を促すメッセージを表示させる手段と、
入力された個人情報を登録データーとして保存する手段と、を更に備える、
ことを特徴とする請求項１または請求項２記載の情報登録システム。
【請求項４】
前記サーバーコンピュータは、前記ユーザーコンピュータに送信されるウェブページに、商品またはサービスの予約もしくは購買の入力を促すメッセージを表示させる手段と、
入力された商品またはサービスの予約もしくは購買の情報を登録データーとして保存する手段と、を更に備える、
ことを特徴とする請求項３記載の情報登録システム。
【請求項５】
前記サーバーコンピュータは、保存された登録データーに含まれる情報から、登録データー固有のウェッブアドレスを決定する手段と、
ユーザー携帯端末が前記携帯ウェブページアドレスにアクセスした時点で、携帯ウェブページアドレス宛てに送信された登録データーまたは登録データー識別情報を使って、保存されている登録データーを検索し、登録データーが保存されており、携帯メールアドレスまたは端末識別情報が登録データーと対をなす情報として保存されていれば、前記登録データー固有のウェッブアドレスを持つウェッブページを送信する手段と、を更に備える、
ことを特徴とする、請求項４記載の情報登録システム。
【請求項６】
ネットワークに接続されたユーザーコンピュータと、カメラを装備しコンピュータに表示されたウェブページを撮影できるユーザー携帯端末と、該ユーザーコンピュータおよび該ユーザー携帯端末にネットワークを介して接続されるサーバーコンピュータと、を備えた情報登録システムにおける情報登録方法であって、
サーバーコンピュータからユーザーコンピュータにウェブページを送信するステップと、
前記ユーザーコンピュータの画面に表示された前記ウェブページの入力欄に入力された登録データーを前記サーバーコンピュータに送信するステップと、
前記登録データーを前記サーバーコンピュータに保存するステップと、
前記サーバーコンピュータにおいて、前記ユーザー携帯端末がアクセスする携帯ウェブページアドレスと、前記登録データーまたは登録データー識別情報とを合わせた情報を記録した２次元バーコードを作成し、前記ユーザーコンピュータに送信するステップと、
前記ユーザーコンピュータの画面に表示された、前記２次元バーコードを撮影したユーザー携帯端末のバーコードリーダー機能によって、前記２次元バーコードから前記携帯ウェブページアドレスと前記登録データーまたは登録データー識別情報を読み出すステップと、
前記ユーザー携帯端末において、前記携帯ウェブページアドレス宛てに前記登録データーまたは登録データー識別情報を送信するステップと、
前記携帯ウェブページアドレスへのアクセスを、サーバーコンピュータが検知し、受信した前記登録データーまたは登録データー識別情報を含むメールを作成する為の情報と、該メールを送信する宛先アドレスを記述した携帯ウェブページを作成して前記ユーザー携帯端末に送信するステップと、
前記ユーザー携帯端末において、前記携帯ウェブページに記述された、前記登録データーまたは登録データー識別情報と、前記宛先アドレスを読み出し、前記登録データーまたは登録データー識別情報を含むメールを作成し、前記宛先アドレス宛てに該メールを送信するステップと、
前記サーバーコンピュータにおいて、前記メールを受信し、メールのヘッダー情報から前記ユーザー携帯端末を特定する携帯メールアドレスまたは端末識別情報を読み出すステップと、
前記メールに記述されている登録データーまたは登録データー識別情報を読み出し、該登録データーまたは登録データー識別情報を使って保存されている登録データーを比較検索し、一致した保存されている登録データーと、前記携帯メールアドレスまたは端末識別情報とを対をなす情報として保存するステップと、
を備えることを特徴とする情報登録方法。
【請求項７】
請求項１に記載の情報登録システムに含まれるサーバーコンピュータであって、
前記ウェッブサーバー手段、前記登録データー保存手段、前記２次元バーコード送信手段、前記携帯ウェッブサーバー手段、前記読出手段、及び前記対情報保存手段を備えることを特徴とするサーバーコンピュータ。
【請求項８】
コンピュータを、請求項７に記載のサーバーコンピュータとして機能させることを特徴とするコンピュータプログラム。
【発明の詳細な説明】
【技術分野】
【０００１】
本発明は、ネットワークを介して、ホテルまたはチケット等の予約または商品等の購入を行うに際して、個人情報と予約または購入する商品またはサービスの内容を登録する情報登録システムの技術分野に属するものである。
【背景技術】
【０００２】
従来、インターネットに接続されたコンピュータでホテルまたはチケット等の予約または商品等の購入を行う場合、予約者または購入者の氏名、電話番号、メールアドレス、パスワード等の個人情報を、コンピュータの画面に表示されたウェッブページの入力欄に入力して登録が行われており、予約または購入の内容が、登録されたメールアドレスに確認情報としてメールで送信されている。
【０００３】
更に、一旦確定した予約または購入の内容は、登録された個人情報に含まれるメールアドレスとパスワード等の組合せを画面に入力し、一致を確認することによって認証を行い、画面に再度表示されキャンセルまたは変更されることもある。なお、特許文献１には、個人認証を有する携帯予約システムが開示されている。
【０００４】
また、コンピュータに入力された予約または購入の情報は、コンピュータだけではなく、外出中に携帯電話等の携帯端末で確認または変更もしくはキャンセルされることがある。
【０００５】
また、コンピュータで商品またはサービスの予約または購入の申込を受付けているウェッブサイトでは、携帯端末の利用を促すために、該ウェッブサイトの携帯端末用のトップページアドレスを２次元バーコードで表示し、該ウェッブページアドレスを携帯端末のカメラで撮影し記録する手段を用意することがある。
【０００６】
コンピュータに入力された携帯端末で予約または購入の確認または変更もしくはキャンセルを行うには、携帯端末で携帯ウェッブページにアクセスし、表示されたメニューから個人認証を行うページへのリンクを選択し、個人認証の画面で個人認証の為の情報入力を行い、予約または購入の確認または変更もしくはキャンセルの結果を通知するメールを携帯端末で受信するために、入力画面で携帯端末のメールアドレスを入力し、あらかじめ登録することが行われていた。
【０００７】
また、携帯端末の個人認証で入力を求められるパスワードが不明であれば、登録されている携帯のメールアドレスを入力し、メールでパスワードの通知を受けることが行われることがある。
【特許文献１】特開２００４−２２７０７２号公報
【発明の開示】
【発明が解決しようとする課題】
【０００８】
しかしながら、上述した個人認証の入力と携帯端末のメールアドレスの登録を行う方法によれば、携帯端末のキーを使って、個人認証のためのパスワードを含む個人情報の入力を行うという煩雑な操作が必要であった。
【０００９】
また、個人認証の入力と携帯端末のメールアドレスの登録を行う方法において、携帯端末に記録されたアドレスが携帯端末情報を登録するための個人認証のページのアドレスであれば、登録が完了したのち、予約または購入の確認または変更もしくはキャンセルを行い、追加の予約または購入を行うページをアクセスするためには、該ページのアドレスを携帯端末のキーを使って入力するという煩雑な操作が必要であった。
【００１０】
また、予約または購入の確認または変更もしくはキャンセルの結果の通知を、携帯端末で受けるためには、携帯端末のメールアドレスを入力して登録するという煩雑な操作が必要であり、システムの円滑な利用の妨げとなっていた。
【００１１】
また、個人認証を行う為に入力を求められるパスワードが不明で、携帯端末にメールでパスワードの通知を受けるとき、携帯端末のメールアドレスが登録される以前であれば、パスワードの通知が受けられず、個人認証を行うことができないという問題があった。
【００１２】
また、２次元バーコードを使って携帯端末用のトップページアドレスをコンピュータ画面に表示してる方法では、２次元バーコードが表示される場所は、予約または購入の情報または個人情報の入力を行った結果の画面ではなく、予約または購入を行う一連のコンピュータ操作が完了したのちに、２次元バーコードを撮影する必要性を表現できないという問題があった。
【００１３】
さらに、携帯端末で表示できる携帯ウェッブページのアドレスが不明であれば、予約または購入の確認または変更もしくはキャンセルを携帯端末で行うことが不可能になるという問題があった。
【００１４】
また、２次元バーコードを使って携帯端末用のトップページアドレスをコンピュータ画面に表示してる方法では、入力された登録情報を２次元バーコードに記録することができないため、携帯ウェッブページにアクセスしても、個人認証の入力と、携帯メールアドレスを登録するための入力を行う煩雑な操作の軽減にはならないという問題があった。
【００１５】
そこで、本発明は、上記の問題点を解決し、コンピュータのキーボードを使って容易に登録データーが入力された後、入力された情報を含む２次元バーコードをコンピュータ画面に表示し、引続き携帯端末を使って２次元バーコードを撮影することによって、携帯端末のキーを使った文字入力を行うことなく、登録データーに携帯端末の情報を追加登録し、２次元バーコードを撮影した結果として携帯端末に記録された携帯ウェッブページアドレスが、携帯端末の情報を追加登録が完了したのちにアクセスされた場合は、保存された登録データーに含まれる情報から、登録データー固有のウェッブアドレスを決定し、該ウェッブアドレスを持つページを携帯端末に表示することが可能な、情報登録システム、情報登録方法、サーバーコンピュータ、及びコンピュータプログラムを提供することを課題とする。
【課題を解決するための手段】
【００１６】
上記課題を解決するために、本発明は、ネットワークに接続されたユーザーコンピュータと、カメラを装備しコンピュータに表示されたウェブページを撮影できるユーザー携帯端末と、該ユーザーコンピュータおよび該ユーザー携帯端末にネットワークを介して接続されるサーバーコンピュータと、を備えた情報登録システムであって、前記ユーザーコンピュータは、前記サーバーコンピュータから送信されるウェブページを画面に表示し、ユーザーコンピュータの利用者がウェブページに設けられた入力欄に入力したデーターを、登録データーとしてサーバーコンピュータに送信するブラウザ手段と、前記サーバーコンピュータから送信される２次元バーコードを表示する表示手段と、を備え、前記ユーザー携帯端末は、前記ユーザーコンピュータの画面に表示された２次元バーコードを撮影し、２次元バーコードに記録されている情報を読み出すバーコードリーダー機能と、前記２次元バーコードに記録されている、携帯ウェブページアドレスと該ウェブページアドレスに送信されるデーターを読み出し、該携帯ウェブページアドレスに該データーを送信し、応答として受信した携帯ウェブページを画面に表示するブラウザ手段と、前記携帯ウェブページに記述された、宛先メールアドレスとメールの文面を作るための情報に従ってメール作成し、該宛先メールアドレス宛に送信するメール送信手段と、を備え、前記サーバーコンピュータは、前記ユーザーコンピュータにウェッブページを送信するウェッブサーバー手段と、前記ユーザーコンピュータで前記ウェッブページに入力され送信された登録データーを受信し、該登録データーを特定する登録データー識別情報を作成し、該登録データーと該登録データー識別情報を対応付けて保存する登録データー保存手段と、前記ユーザー携帯端末がアクセスする携帯ウェブページアドレスと、前記登録データーまたは登録データー識別情報とを合わせた情報を記録した２次元バーコードを作成し、該２次元バーコードを前記ユーザーコンピュータに送信する２次元バーコード送信手段と、前記ユーザー携帯端末が、前記携帯ウェブページアドレスにアクセスした時点で、該携帯ウェブページアドレスに送信された前記登録データーまたは登録データー識別情報を記載したメールを作成する為の情報と、該メールの送信先アドレスとを記述した、携帯ウェブページを前記ユーザー携帯端末に送信する携帯ウェッブサーバー手段と、前記ユーザー携帯端末が送信したメールを受信し、該メールのヘッダー情報から前記ユーザー携帯端末を特定する携帯メールアドレスまたは端末識別情報を読み出す読出手段と、前記メールに記述されている登録データーまたは登録データー識別情報を読み出し、該登録データーまたは登録データー識別情報を使って保存されている登録データーを特定し、特定された登録データーと、前記携帯メールアドレスまたは端末識別情報とを対をなす情報として保存する対情報保存手段と、を備える、ことを特徴とする。
【００１７】
本発明においては、まず、サーバーコンピュータからユーザーコンピュータに、登録すべき情報を入力するウェッブページを送信する。
【００１８】
次に、ユーザーコンピュータは、前記ウェッブページを入力欄に表示し、入力欄に入力された登録データーをサーバーコンピュータに送信する。
【００１９】
次に、サーバーコンピュータは、前記登録データーを保存し、登録データーを特定するための登録データー識別情報を作成し、ユーザー携帯端末がアクセスすべき携帯ウェブアドレスと登録データーまたは登録データー識別情報を合わせた情報を記録した２次元バーコードを作成し、これを前記ユーザーコンピュータに送信し、該２次元バーコードがユーザーコンピュータの画面に表示される。
【００２０】
次に、ユーザー携帯端末は、バーコードリーダー機能を使ってユーザーコンピュータの画面に表示された前記２次元バーコードを撮影し、２次元バーコードに記録されている前記登録データーまたは登録データー識別情報と前記携帯ウェブアドレスを読み出し、登録データーまたは登録データー識別情報を携帯ウェブアドレス宛てに送信する。
【００２１】
次に、サーバーコンピュータは、前記携帯ウェブアドレスへのアクセスを検知し、受信した登録データーまたは登録データー識別情報を含むメールを作成する為の情報と、該メールの送信先アドレスを記述した携帯ウェブページを作成して前記ユーザー携帯端末に送信する。
【００２２】
次に、前記ユーザー携帯端末は、前記ウェブページに記述されているメールを作成する為の情報に従ってメールを作成し、前記送信先アドレス宛てに該メールを送信する。
【００２３】
次に、サーバーコンピュータは、前記メールを受信し、メールのヘッダー情報を解析し、該ヘッダー情報に含まれる前記ユーザー携帯端末のメールアドレスまたは端末識別情報を読み出す。さらにサーバーコンピュータは、メールの内容に含まれる前記登録データーまたは登録データー識別情報を使って保存されている登録データーを比較検索し、一致した保存されている登録データーと、前記携帯メールアドレスまたは端末識別情報とを対をなす情報として保存する。
【００２４】
次に、ユーザー携帯端末が、前記ウェブページアドレスにアクセスした後に、再度同じウェブページアドレスにアクセスすると、アクセスを受けたサーバーコンピュータは、受信した登録データーまたは登録データー識別情報を使って保存されている登録データーを比較検索し、一致した保存されている登録データーに携帯端末情報が追加登録されていることを検出することによって２度目以降のアクセスと判断し、１度目のアクセスで送信した、メールを作成する為の情報と該メールの送信先アドレスを記述した携帯ウェブページに代わって、登録データーに含まれる会員番号などの情報から判定された、会員専用ページなどの登録データー固有のウェッブアドレスを持つページを送信する。
【発明の効果】
【００２５】
上記発明によれば、入力データーを記録した２次元バーコードを撮影することによって、携帯端末のキーを使って、携帯ウェッブページのアドレスや個人認証データー、更に携帯端末のメールアドレスなどを入力することなく、ユーザーコンピュータで入力された登録データーに、携帯端末の情報を追加登録することができ、更に特定の携帯ウェッブページのアドレスを記憶したり、携帯端末にアドレスを入力して記録させたりすることなく、一旦登録された登録情報にアクセスするためのアドレスを携帯端末に記録し、外出先や移動中に登録情報に円滑にアクセスすることが可能になる。
【発明を実施するための最良の形態】
【００２６】
以下、本発明の実施の形態を添付図面の図１乃至図３に基づいて説明する。
【００２７】
図１は、本実施形態に係る情報登録システムの一実施形態を示すブロック図である。
【００２８】
図１に示すように、本実施形態に係る情報登録システムは、サーバーコンピュータ１と、ユーザーコンピュータ２と、ユーザー携帯端末３とを備えている。
【００２９】
サーバーコンピュータ１には、サーバー専用のコンピュータ、あるいはパーソナルコンピュータを用いることができ、これに搭載されたＣＰＵは、本発明に係るコンピュータプログラムを記憶部から読み出し実行することにより、本発明におけるウェッブサーバー手段、登録データー保存手段、２次元バーコード送信手段、携帯ウェッブサーバー手段、読出手段、及び対情報保存手段として機能するようになっている。
【００３０】
より具体的には、サーバーコンピュータ１は、ネットワークを介してウェッブページ（例えば、ＨＴＭＬ（Hyper Text Markup Language）、画像データ、テキストデータ等により構成されている）を送信したり、ウェッブページに入力された情報を受信するウェッブサーバー機能を備え、該ウェッブサーバー機能は、ネットワークを介して携帯ウェッブページを送信したり、携帯ウェッブページに入力された情報を受信する携帯端末用の機能を備えている。また、サーバーコンピュータ１は、ネットワークを介して電子メールを受信するメールサーバー機能を備えている。
【００３１】
なお、ネットワークは、例えば、インターネット、専用通信回線、移動体通信網（基地局等を含む）、及びゲートウェイ等により構築されている。また、ウェッブページを送受信するために、例えば、ＨＴＴＰ（Hyper Text Transfer Protocol）などが用いられ、メール（電子メール）の送受信には、例えば、ＳＭＴＰ（Simple Mail Transfer Protocol）などが用いられる。
【００３２】
さらに、サーバーコンピュータ１は、受信したウェッブページの入力情報および受信した電子メールのヘッダーと文面から読み出した情報を保存し、保存されたデーターを検索し更新するデーターベース機能を備えている。
【００３３】
なお、本実施形態では、サーバーコンピュータ１は、１台のコンピュータで構成したが、ウェッブの処理と、データーベースの処理と、電子メールの処理とを複数台のコンピュータで行うように構成してもよい。
【００３４】
ユーザーコンピュータ２には、一例としてパーソナルコンピュータを用いることができ、ネットワークに接続可能に構成されている。また、ユーザーコンピュータ２は、ネットワークを介してウェッブアドレス（例えば、ＵＲＬ（Uniform Resource Locator））にアクセスすることによって、提供されたウェッブページを画面に表示（閲覧）し、ウェッブページに設けられた入力欄に情報を入力し、入力された情報を所定のウェッブアドレス宛てに送信するブラウザプログラム（ブラウザ手段）が使用可能にインストールされている。
【００３５】
ユーザー携帯端末３には、一例として、携帯電話を用いることができ、ネットワークに接続可能に構成されている。また、ユーザー携帯端末３は、接写可能なカメラと、カメラで撮影された２次元バーコード（例えば、ＱＲコード）に記録された情報を読取るバーコードリーダー機能を備えている。
【００３６】
さらに、ユーザー携帯端末３は、２次元バーコードから読取られたウェッブアドレスにアクセスすることによって、所定のウェッブページを受信して画面に表示（閲覧）するブラウザプログラム（ブラウザ手段）と、ウェッブページに含まれる情報を記述した電子メールを作成し、該ウェッブページに含まれる宛先アドレス宛てに該電子メールを送信する電子メールプログラム（メール作成送信手段）が使用可能にインストールされている。
【００３７】
次に、図２に示す本実施形態の情報登録処理のフローチャート、及び図３に示すユーザーコンピュータ２とユーザー携帯端末３における表示画面に基づいて、本実施形態の情報登録処理について説明する。
【００３８】
まず、サーバーコンピュータ１からユーザーコンピュータ２に、登録されるデーターを入力する欄を含むウェッブページが配信される（図２：ｓｔｅｐ１）。
【００３９】
このウェッブページは、ユーザーコンピュータ２にインストールされているブラウザプログラムによって、一例として図３の（Ａ）に示すような、登録データーの項目名称とその入力欄を含む画面情報に変換され、ユーザーコンピュータ２の画面に表示される。なお、図３の（Ａ）には図示を省略するが、この画面上には、登録データーとしてユーザー（利用者）の個人情報の入力を促すメッセージが表示される。
【００４０】
次に、図３の（Ａ）の入力欄に入力された登録データーは、サーバーコンピュータ１に送信される（図２：ｓｔｅｐ２）。
【００４１】
次に、サーバーコンピュータ１は、登録データーを識別するための識別情報を作成し、前記登録データーと該登録データー識別情報とを対応付けてデーターベースに保存する（図２：ｓｔｅｐ３）。
【００４２】
次に、サーバーコンピュータ１は、登録データーの識別情報（または登録データー）とユーザー携帯端末３がアクセスする携帯ウェブページアドレスを記録した２次元バーコードを作成し（図２：ｓｔｅｐ４）、ユーザーコンピュータ２に送信する（図２：ｓｔｅｐ５）。なお、記録される情報の量が増え、２次元バーコードのサイズまたは画素の密度が大きくなり、コンピュータ画面での表示または携帯端末のカメラでの撮影が難しくなることがなければ、識別情報に代わって登録データーの全情報を２次元バーコードに記録させてもよい。
【００４３】
次に、ユーザーコンピュータ２のブラウザプログラムは、受信した２次元バーコードを図３の（Ｂ）に示すように画面に表示する。図３の（Ｂ）には図示を省略するが、この画面上には表示された２次元バーコードの意味と、２次元バーコードを携帯端末で撮影することを促すメッセージが表示される。
【００４４】
次に、ユーザー携帯端末３は、ユーザーの操作に応じて、ユーザーコンピュータ２の画面に表示された２次元バーコードを撮影し（図２：ｓｔｅｐ６）、撮影された２次元バーコードがユーザー携帯端末３の画面に図３の（Ｃ）のように表示されると、ユーザー携帯端末３のバーコードリーダー機能は２次元バーコードに記録されているデーターを読み出し（図２：ｓｔｅｐ７）、２次元バーコードに記録されていた携帯ウェッブアドレスと登録データーまたは登録データー識別情報と、該携帯ウェッブアドレスへアクセスすることを促すメッセージと、アクセスを起動するボタンとを、図３の（Ｄ）のように表示する。図３の（Ｄ）において、ｈｔｔｐ：／／ｗｗｗ．ａｂｃ．ｘｘｘ／ は携帯ウェッブアドレスであり、それに続く文字列は、登録データーまたは登録データー識別情報が送信されることを宣言するとともにその値を含む。
【００４５】
次に、ユーザー携帯端末３で、前記携帯ウェッブアドレスへのアクセスが起動されると、登録データーまたは登録データー識別情報が、携帯ウェッブアドレスで指定されるサーバーコンピュータ１に送られ（図２：ｓｔｅｐ８）、サーバーコンピュータ１は、携帯端末の登録を促す携帯ウェッブページをユーザー携帯端末３に送信する（図２：ｓｔｅｐ９）。該携帯ウェッブページには、サーバーコンピュータ１が受信した登録データーまたは登録データー識別情報を記載したメールを作成するための文面の情報と、登録のためにメールを送信する宛先のアドレスが含まれている。
【００４６】
前記携帯ウェッブページは、ユーザー携帯端末３の画面に、図３の（Ｅ）のように表示され、登録ボタンを押すことで登録が開始されると、ウェッブページに含まれているメールの文面の情報と宛先アドレスが、ユーザー携帯端末３の電子メールプログラムに読込まれ（図２：ｓｔｅｐ１０）、登録メールが作成され（図２：ｓｔｅｐ１１）、宛先アドレスで指定されるサーバーコンピュータ１に送信される（図２：ｓｔｅｐ１２）。
【００４７】
次に、登録メールを受信したサーバーコンピュータ１のメールサーバー機能は、受信したメールから、登録データーまたは登録データー識別情報を読み出し、図２のｓｔｅｐ３で保存された登録データーとの一致を検索する（図２：ｓｔｅｐ１３）。
【００４８】
次に、サーバーコンピュータ１は、前記登録メールのヘッダー情報から、メールを送信したユーザー携帯端末３のメールアドレスまたは端末識別情報を読み出し、図２のｓｔｅｐ１３で検索された登録データーに対をなす情報として保存する（図２：ｓｔｅｐ１４）。
【００４９】
ユーザー携帯端末３が、図２のｓｔｅｐ８で携帯ウェッブアドレスへのアクセスを記録しており、図２のｓｔｅｐ１４で保存が完了したのち、ユーザー携帯端末３が、図２のｓｔｅｐ８と全く同様のアクセス（２回目以降のアクセス）を行うと（図２：ｓｔｅｐ１５）、サーバーコンピュータ１は、アクセスの情報に含まれる登録データーまたは登録データー識別情報と一致するデーターが保存されているかを検索し（図２：ｓｔｅｐ１６）、保存が確認され且つ携帯端末のメールアドレスが対をなす情報として保存されていたら、図２のｓｔｅｐ１４での保存が完了したと判断し、図２のｓｔｅｐ９で送信された携帯端末の登録を促す携帯ウェッブページにかわって、登録データーに含まれる会員番号などの情報から、会員専用ページなどの登録データーに固有のウェッブアドレスを判定し、該ウェッブアドレスを持つページを送信する（図２：ｓｔｅｐ１７）。かかるページは、ユーザー携帯端末３の画面に、図３の（Ｆ）のように表示される。なお、図３の（Ｆ）には図示を省略するが、この画面上には、商品またはサービスの予約もしくは購買の入力を促すメッセージが表示される。そして、この画面上で入力された商品またはサービスの予約もしくは購買の情報は、登録データーとしてサーバーコンピュータ１に送信され、既に保存された当該ユーザーの個人情報に対応付けられて登録データーとして保存される。
【００５０】
以上説明したように、上記実施形態によれば、入力データーを記録した２次元バーコードを撮影することによって、ユーザー携帯端末３のキーを使って、携帯ウェッブページのアドレスや個人認証データー、更にユーザー携帯端末３のメールアドレスなどを入力することなく、ユーザーコンピュータ２で入力された登録データーに、ユーザー携帯端末３の情報を追加登録することができ、更に特定の携帯ウェッブページのアドレスを記憶したり、ユーザー携帯端末３にアドレスを入力して記録させたりすることなく、一旦登録された登録情報にアクセスするためのアドレスをユーザー携帯端末３に記録し、外出先や移動中に登録情報に円滑にアクセスすることが可能になる。
【００５１】
なお、上述した実施形態は、本発明の一例であり、適宜変更することが可能である。
【００５２】
例えば、登録データーに過去の予約または購買の履歴を関連情報として保存し、携帯ウェッブアドレスへアクセスされた時点でサーバーコンピュータ１が送信する携帯ウェッブページの内容を、履歴に応じて変更するように構成してもよい。
【図面の簡単な説明】
【００５３】
【図１】本発明の一実施形態である情報登録システムの概略構成を示すブロック図である。
【図２】本発明の一実施形態である情報登録システムの処理フローチャートである。
【図３】（Ａ）はユーザーコンピュータのブラウザーによって表示される登録情報を入力する画面の一例を示す図、（Ｂ）は当該ブラウザーによって表示される２次元バーコードの一例を示す図、（Ｃ）はユーザー形態端末のカメラで撮影された２次元バーコードが画面に表示された一例を示す図、（Ｄ）は２次元バーコードから読取られた情報と携帯ウェッブアドレスへアクセスすることを促すメッセージが形態端末の画面に表示された一例を示す図、（Ｅ）は携帯端末の登録をするためにメールを送信することを促す携帯ウェッブページの一例を示す図、（Ｆ）は（Ｅ）で表示されたアドレスに再度アクセスしたときに形態端末の画面に表示された携帯ウェッブページの一例を示す図である。
【符号の説明】
【００５４】
１・・・サーバーコンピュータ
２・・・ユーザーコンピュータ
３・・・ユーザー携帯端末
【図１】
2009098702.tif 000003
【図２】
2009098702.tif 000004
【図３】
2009098702.tif 000005